(57)【要約】【課題】優れた施工効率で、しかも低コストで地盤から既設構造物を引き抜く引抜工法を提供する。【解決手段】ケーシング２を地盤５に対して回転推進してケーシング２の最下端が既設構造物３の最下端以上の深さに到達すると、ケーシング２の回転推進を停止する。そして、既設構造物３の中心軸を通過するように既設構造物３の最上端から最下端に繋がる削孔７を既設構造物３に形成する。そして、この削孔７の最上端にジェットポンプ９を接続した後、ジェットポンプ９から高圧水を削孔７に向けて給水する。これによって、ケーシング２内に水が給水されてケーシング２内で既設構造物３が浸水状態で吊下げられた状態となり、その既設構造物３に対して浮力が作用する。この浮力が作用した状態のまま既設構造物３を吊上げ、地盤５から引き抜く。【選択図】　　　　図２
2004131923.tif 000002
【特許請求の範囲】
【請求項１】
地中の埋設された既設構造物を引き抜く引抜工法において、前記既設構造物の最下端に繋がる削孔を前記既設構造物に形成する第１工程と、
前記削孔を介して前記既設構造物の最下端に向けて水を送給して前記既設構造物に対して浮力を与える第２工程と、
前記既設構造物に対して浮力を与えた状態のまま前記既設構造物を吊り上げる第３工程と
を備えたことを特徴とする地中既設構造物の引抜工法。
【請求項２】
前記第２工程前に、前記既設構造物を囲むようにケーシングを地盤に回転推進して前記ケーシングの先端部を前記既設構造物の最下端以上の深さに到達させる第４工程をさらに備えた請求項１記載の地中既設構造物の引抜工法。
【請求項３】
前記第２工程前に、複数の鋼片を前記既設構造物の最下端の下方に位置させる第５工程をさらに備えた請求項２記載の地中既設構造物の引抜工法。
【請求項４】
前記第３工程前に地盤表面の上方位置で前記既設構造物に補助部材を取り付ける第６工程と、
前記第３工程とともに、前記既設構造物の引抜方向とほぼ平行な方向に前記補助部材を押し上げる第７工程と
をさらに備えた請求項１ないし３のいずれかに記載の地中既設構造物の引抜工法。
【発明の詳細な説明】
【０００１】
【発明の属する技術分野】
この発明は、地中の埋設された既設構造物を地盤から引き抜く引抜工法に関するものである。
【０００２】
【従来の技術】
各種建造物の建築、構築を行う場合には地盤整備を行う必要がある。その一環として、コンクリート杭などのコンクリート構造物、鋼製杭などの鋼製構造物、木製杭などの木製構造物、その他の地中深く埋設されたまた残存している構造物（以下、これらの構造物を総称して「既設構造物」という）を引き抜く引抜作業が実行される。従来、この引抜作業は次のようにして行っていた。まず、既設構造物を包むようにケーシング（鋼管）を差し込み、ケーシングと既設構造物との間の土砂を除去する。そして、既設構造物をクレーン等の重機機械で吊上げて既設構造物の引き抜きを実行していた。
【０００３】
【発明が解決しようとする課題】
しかしながら、従来工法では、重機機械の吊上げ力のみを利用して既設構造物の引抜を実行しているため、既設構造物の大型化に伴い、重機機械に要求される吊上能力も高くなり、大型の重機機械が必要となる。その結果、施工効率や施工コストの面で改善の余地が大きく残されていた。
【０００４】
この発明は上記課題に鑑みなされたものであり、優れた施工効率で、しかも低コストで地盤から既設構造物を引き抜く引抜工法を提供することを目的とする。
【０００５】
【課題を解決するための手段】
この発明は、地中の埋設された既設構造物を引き抜く引抜工法であって、上記目的を達成するため、既設構造物の最下端に繋がる削孔を既設構造物に形成する第１工程と、削孔を介して既設構造物の最下端に向けて水を送給して既設構造物に対して浮力を与える第２工程と、既設構造物に対して浮力を与えた状態のまま既設構造物を吊り上げる第３工程とを備えている。
【０００６】
このように構成された発明では、既設構造物の最下端に繋がる削孔を既設構造物に形成した後、その削孔を介して既設構造物の最下端に向けて水を送給する。これによって、既設構造物の最下端から吐出される水の一部が既設構造物の外周側面に沿って地盤表面側に流れ、その水の存在により既設構造物に対して浮力が作用する。そして、この浮力が作用する状態で既設構造物を吊り上げて地盤から既設構造物を引き抜く。このように浮力を利用することで既設構造物の引抜に必要な吊上げ力を低減することが可能となる。
【０００７】
ここで、既設構造物の最下端に向けて水を送給する前に、予め既設構造物を囲むようにケーシングを地盤に回転推進してケーシングの先端部を既設構造物の最下端以上の深さに到達させるように構成してもよい。この場合、既設構造物の最下端に向けて水を送給すると、既設構造物の最下端の下方に位置する地盤（土砂など）が給水により押し流されるとともに、ケーシング内が水で満たされる。つまり、既設構造物が貯水されたケーシング内に存在することとなり、既設構造物に対して浮力が作用する。このように、既設構造物の最下端から吐出される水が効率良くケーシング内を流れ、少ない水量で既設構造物の対して浮力を確実に与えることができる。
【０００８】
また、第２工程前に、複数の鋼片を既設構造物の最下端の下方に位置させると、既設構造物の最下端から吐出される水が地盤に浸み込むのを効果的に防止し、水の利用効率をさらに高めることができる。また、複数の鋼片を用いることなく、施工効率を高めるために給水時の水圧を高めた場合、既設構造物の最下端の下方に位置する地盤をさらに深く掘り下げてしまうが、上記のように複数の鋼片を設けることで圧送されてきた水による地盤の掘り下げを防止することができる。
【０００９】
さらに、地盤表面の上方位置で既設構造物に補助部材を取り付け、既設構造物の引抜の際（第３工程）に、既設構造物の引抜方向とほぼ平行な方向に補助部材を押し上げるように構成すれば、その押上力が既設構造物の引抜力となり、吊上げ力をさらに低減することができる。
【００１０】
【発明の実施の形態】
図１および図２は、この発明にかかる地中既設構造物の引抜工法の一実施形態を示す図である。この引抜工法では、図１（ａ）に示すように、大径管の下端円周に削孔用チップ１を備えたケーシング２が既設構造物３の周面を取り囲むようにケーシング２を地盤表面に設置した後、駆動機構４を作動させることでケーシング２を地盤５に対して回転推進してその全長に亙り削孔して、既設構造物３と地盤５の縁を切っていく。なお、この実施形態では、内面チップ（図示省略）をケーシング２の内面の該ケーシング２の内径よりも設定寸法小径の想定円周線上に設けることでケーシング２内周面と既設構造物３との間に設定寸法のギャップ６を形成している。
【００１１】
そして、同図（ｂ）に示すように、ケーシング２の最下端、つまり削孔用チップ１が既設構造物３の最下端以上の深さに到達すると、ケーシング２の回転推進を停止する。そして、既設構造物３の中心軸を通過するように既設構造物３の最上端から最下端に繋がる削孔７を既設構造物３に形成する。なお、ここでは、削孔７を中心軸に沿って形成しているが、その中心軸からずれて削孔７を形成してもよく、また既設構造物３の側面から最下端に繋がるように削孔７を形成するようにしてもよい。この点に関しては、後の実施形態においても全く同様である。なお、同図中の符号８はワイヤであり、既設構造物３の上部に取り付けられ、クレーン等の重機機械により既設構造物３を吊上げ可能となっている。
【００１２】
次に、図２（ａ）に示すように、ジェットポンプ９および一時回収タンク１０をそれぞれ削孔７およびケーシング２に配管接続する。すなわち、上記のようにして形成された削孔７の最上端に対して給水用配管の一方端を接続するとともに、その給水用配管の他方端をジェットポンプ９の吐出口と接続する。また、ケーシング２の上端側でケーシング２の中空空間に排水用配管の一方端を連通接続するとともに、その排水用配管の他方端を一時回収タンク１０に接続する。
【００１３】
各配管接続が完了すると、ジェットポンプ９を作動させてジェットポンプ９から高圧水を削孔７に向けて給水する。すると、この高圧水は削孔７を介して既設構造物３の最下端に向けて圧送され、この最下端から吐出された水は、その最下端と接する地盤の土砂５ａ（図１（ｂ））をギャップ６側に押し流す。そして、水を連続的に給水し続けると、該ギャップ６にも給水されてケーシング２の内部に水が溜まるとともに、オーバーフローする水については排水用配管を介して一時回収タンク１０に回収される。なお、回収された土砂を含む水については、そのまま放流したり、土砂を分離した後で放流することができる。もちろん、水については必要に応じて循環的に利用するようにしてもよい。
【００１４】
このようにケーシング２内に水を供給することでケーシング２内で既設構造物３が浸水状態で吊持された状態となり、その既設構造物３に対して浮力が作用する。そして、図２（ｂ）に示すように、この浮力を受けた状態のままクレーンなどの重機機械をオペレータが操作してワイヤ８により既設構造物３を上方向（引抜方向）に吊上げ、地盤５から引き抜く。このとき、ジェットポンプ９から水を連続的に供給し続けるのが望ましいが、引抜途中で給水を停止するようにしてもよい。
【００１５】
そして、引抜が完了すると、ジェットポンプ９を完全に停止させた後、既設構造物３を引き抜いた跡孔を貧配合モルタル、土、砂などで埋め戻した後、ケーシングをクレーンやワイヤ等で地上に引き抜き、工事を完了する。
【００１６】
以上のように、この実施形態では、既設構造物３の最下端に繋がる削孔７を既設構造物３に形成した後、その削孔７を介して既設構造物３の最下端に向けて水を送給してケーシング２内を水で満たす。これによって、既設構造物は地盤５から完全に切り離され、しかもケーシング２内で浸水状態で存在している。したがって、既設構造物３に対して浮力が作用することとなり、既設構造物３を吊り上げて地盤から既設構造物３を引き抜く際に、その浮力分だけ既設構造物３の引抜に必要な吊上げ力を低減させることが可能となる。その結果、従来工法で使用していた重機機械に比べて吊上能力の低い重機機械を用いて既設構造物を引き抜くことができるようになり、施工効率を向上させるとともに、施工コストを抑制することができる。
【００１７】
また、既設構造物３はその側面だけではなく、その最下端面も地盤５と縁が切れた状態で引き抜かれるため、効率的な引抜作業を行うことができる。
【００１８】
また、既設構造物３の最下端から吐出される水はケーシング２内に導かれ、ギャップ６に沿って地盤表面側に流れるため、既設構造物の最下端から吐出される水が効率良くケーシング内に流れ、既設構造物３の対して浮力を確実に与えることができる。
【００１９】
なお、本発明は上記した実施形態に限定されるものではなく、その趣旨を逸脱しない限りにおいて上述したもの以外に種々の変更を行うことが可能である。例えば、上記実施形態では、浮力と吊上げ力とを用いて既設構造物３を引き抜いているが、さらに図３に示すように、油圧シリンダなどのアクチュエータによる押上力を付加させることで吊上げ力をさらに低減させることができる。
【００２０】
図３は、この発明にかかる地中既設構造物の引抜工法の他の実施形態を示す図である。この引抜工法では、既設構造物３の上端部に鋼管１１の下端部を連結する。例えば既設構造物３がコンクリート製である場合には既設構造物３中に杭補強筋が設けられているため、その杭補強筋と鋼管１１とを溶接により連結する。また、既設構造物３が鋼製杭である場合には杭本体を鋼管１１と直接溶接して連結する。そして、鋼管１１の上端部に引抜方向（同図の上下方向）とほぼ直交する方向に鋼製梁部材１２を溶接などの連結方法により連結する。これにより、地盤表面の上方位置で鋼管１１および鋼製梁部材１２よりなる補助部材が既設構造物３に取り付けられる。
【００２１】
そして、ケーシング２の上端部と梁部材１２との間に油圧ジャッキなどのアクチュエータ１３が複数本配置されており、それらのアクチュエータ１３を作動させることで既設構造物の引抜方向（上方向）とほぼ平行な方向に補助部材（鋼管１１および鋼製梁部材１２）を押し上げ、その結果、既設構造物３に対して引抜方向への押上力を加えることが可能となっている。したがって、クレーンなどの重機機械を操作してワイヤ８により既設構造物３を吊上げ、地盤５から引き抜く際、それと同時にアクチュエータ１３のロッド１３ａを伸張させることで、その押上力分だけ既設構造物３の引抜に必要な吊上げ力を低減させることが可能となる。したがって、さらに一段と低い吊上げ能力の重機機械を用いて既設構造物の引抜が可能となり、施工効率を向上させるとともに、施工コストを抑制することができる。なお、油圧シリンダなどのアクチュエータ１３の本数や配設位置については特に限定されるものではない。
【００２２】
また、上記実施形態では、ケーシング２を所定深さまで回転推進させた後、そのままの状態で削孔７を介して水を給水して既設構造物３の最下端から水を吐出しているが、図４に示すように、複数の鋼片２１を既設構造物３の最下端の下方に位置させるようにしてもよく、こうすることで次のような作用効果が得られる。
【００２３】
図４は、この発明にかかる地中既設構造物の引抜工法の別の実施形態を示す図である。この実施形態では、同図に示すように、ケーシング２内周面と既設構造物３との間のギャップ６に２つの鋼片２１が回動軸２２回りに回動自在に軸支されている。各鋼片２１は略スコップ形状を有しており、ケーシング２の下端近傍に配置された状態で油圧シリンダのロッド２３を伸張させると、回動軸２２回りにそれぞれ相反する方向に回動して既設構造物３の最下端の下方に位置し、既設構造物３の最下端面を覆うこととなる（同図（ｂ））。この状態でジェットポンプ９を作動させてジェットポンプ９から高圧水を削孔７に向けて給水すると、既設構造物３の最下端から高圧水が吐出されるが、その高圧水の大部分は複数の鋼片２１によりギャップ６側に導かれる。このため、給水が地盤５に浸み込むのを効果的に防止し、水の効率的な利用を図ることができる。
【００２４】
また、上記実施形態ではジェットポンプ９から高圧水を給水する、つまり施工効率を高めるために給水時の水圧を高めているが、図１ないし図３に示すように削孔７から高圧水を地盤の土砂５ａ（図１（ｂ））に向けて吐出すると、単に土砂５ａを押し流すのみならず、さらに地盤５をさらに深く掘り下げてしまうが、上記のように複数の鋼片２１を設けることで圧送されてきた水による地盤５の掘り下げを防止することができる。したがって、作業効率の面でも有利なものとなる。
【００２５】
また、上記実施形態では、既設構造物３を一度に地盤５から引き抜いているが、引抜方向（各図の上下方向）における既設構造物３の大きさによっては一度に地盤５から引き抜くのが困難な場合がある。その場合には、図５に示すように適当な位置まで引き抜いた後、既設構造物３を例えば仮想切断線（図５（ａ）中の１点鎖線）に沿って切断し、さらに上記実施形態と同様の引抜作業を繰り返すようにすればよい。このとき、切断された既設構造物３のうち上方部分についてはクレーンなどの重機機械で吊持されているが、切断とともに下方部分については吊持が解除されてケーシング２内に落下してしまう。そこで、このような問題に対応すべく、図５に示す実施形態では、たとえクレーンなどの重機機械により吊持されていなくとも既設構造物３がケーシング２内に落下するのを防止する落下防止機構を設けている。
【００２６】
図５は、この発明にかかる地中既設構造物の引抜工法のさらに別の実施形態を示す図である。この実施形態では、ケーシング２の内壁面２ａには、落下防止機構３０が４個、しかも同図（ｂ）に示すように平面視において等角度間隔で設けられている。なお、落下防止機構３０の配設数については、これに限定されず、３個以上設けることで後述するようにして既設構造物３の落下を確実に防止することができる。
【００２７】
各落下防止機構３０は、同図（ｃ）に示すように、ケーシング２の内周面に取り付けられる本体部３１と、その本体部３１に対して回動軸３２回りに回動自在に軸支された可動部３３と、可動部３３が所定角度以上移動するのを阻止するストッパー３４とを備えている。すなわち、各落下防止機構３０では、可動部３３の後端部がケーシング２の内壁面２ａに対して回動軸３２回りに０゜から約６０゜の範囲で回動可能であり、その先端部は既設構造物３の側面３ａと当接している。このため、ケーシング２が既設構造物３に対して相対的に下方移動する際には可動部３３はフリーに回動自在となっており、上記相対移動は自由となっている。逆に既設構造物３がケーシング２に対して相対的に下方移動する際には可動部３３が約６０゜まで回動する間については上記相対移動が可能となるが、それ以上移動しようとすると、可動部３３の後端部がストッパー３４に係止され、可動部３３によりケーシング２に対する既設構造物３の下方移動が阻止される。こうして既設構造物３の落下を効果的に防止することができ、既設構造物３を複数回に分けて引き抜くことが可能となる。したがって、この実施形態によれば、引抜方向における既設構造物３の大きさに制限されず、既設構造物３を確実に引き抜くことが可能となる。
【００２８】
また、上記実施形態では、ケーシング２の回転推進後に削孔７を形成しているが、削孔形成後にケーシングの回転推進を実行したり、ケーシングの回転推進と同時に削孔７を形成するようにしてもよいことはいうまでもない。
【００２９】
さらに、上記実施形態では、ケーシング２を所定深さまで回転推進させた後、削孔７を介して水を給水して既設構造物３の最下端から水を吐出しているが、図６に示すようにケーシング２を用いず、削孔７を介して既設構造物３の最下端から水を吐出させるようにしてもよい。
【００３０】
図６は、この発明にかかる地中既設構造物の引抜工法のさらに他の実施形態を示す図である。この実施形態では、同図（ａ）に示すように、既設構造物３の中心軸を通過するように既設構造物３の最上端から最下端に繋がる削孔７を既設構造物３に形成する。そして、ジェットポンプ９を削孔７に配管接続した後、ジェットポンプ９を作動させてジェットポンプ９から高圧水を削孔７に向けて給水する。すると、この高圧水は削孔７を介して既設構造物３の最下端に向けて圧送され、この最下端から吐出された水の一部は、同図中の矢印に示すように、既設構造物３の外周側面に沿って地盤表面に流れ、その水によって既設構造物３に対して浮力が作用する。
【００３１】
次に、同図（ｂ）に示すように、この浮力を受けた状態のままクレーンなどの重機機械をオペレータが操作してワイヤ８により既設構造物３を上方向（引抜方向）に吊上げ、地盤５から引き抜く。このとき、ジェットポンプ９から水を連続的に供給し続けるのが望ましいが、引抜途中で給水を停止するようにしてもよい。
【００３２】
そして、引抜が完了すると、ジェットポンプ９を完全に停止させた後、既設構造物３を引き抜いた跡孔を貧配合モルタル、土、砂などで埋め戻す。
【００３３】
以上のように、この実施形態においても、既設構造物３に対して浮力を作用ささせた状態で既設構造物３を吊り上げて地盤５から既設構造物３を引き抜くように構成しているので、その浮力分だけ既設構造物３の引抜に必要な吊上げ力を低減させることが可能となる。その結果、従来工法で使用していた重機機械に比べて吊上げ能力の低い重機機械を用いて既設構造物を引き抜くことができるようになり、施工効率を向上させるとともに、施工コストを抑制することができる。また、ケーシング２を用いていないので、作業工程を簡素化することができ、施工効率および施工コストの面でさらに有利なものとなる。
【００３４】
【発明の効果】
以上のように、この発明によれば、既設構造物の最下端に繋がる削孔を既設構造物に形成した後、その削孔を介して既設構造物の最下端に向けて水を送給して既設構造物に対して浮力を作用させているので、従来工法よりも小さな吊上げ力で既設構造物の引抜が可能となる、つまり、より吊上げ能力の重機機械を用いて既設構造物の引抜が可能となり、施工効率を向上させるとともに、施工コストを抑制することができる。
【図面の簡単な説明】
【図１】この発明にかかる地中既設構造物の引抜工法の一実施形態を示す図である。
【図２】この発明にかかる地中既設構造物の引抜工法の一実施形態を示す図である。
【図３】この発明にかかる地中既設構造物の引抜工法の他の実施形態を示す図である。
【図４】この発明にかかる地中既設構造物の引抜工法の別の実施形態を示す図である。
【図５】この発明にかかる地中既設構造物の引抜工法のさらに別の実施形態を示す図である。
【図６】この発明にかかる地中既設構造物の引抜工法のさらに他の実施形態を示す図である。
【符号の説明】
２…ケーシング
３…既設構造物
５…地盤
７…削孔
１１…鋼管（補助部材）
１２…鋼製梁部材（補助部材）
２１…鋼片
【図１】
2004131923.tif 000003
【図２】
2004131923.tif 000004
【図３】
2004131923.tif 000005
【図４】
2004131923.tif 000006
【図５】
2004131923.tif 000007
【図６】
2004131923.tif 000008
【手続補正書】
【提出日】平成15年6月23日(2003.6.23)
【手続補正１】
【補正対象書類名】明細書
【補正対象項目名】特許請求の範囲
【補正方法】変更
【補正の内容】
【特許請求の範囲】
【請求項１】
前記既設構造物の最下端に繋がる削孔を前記既設構造物に形成する第１工程と、ギャップを隔てて前記既設構造物を囲むようにケーシングを地盤に回転推進して前記ケーシングの先端部を前記既設構造物の最下端以上の深さに到達させる第２工程と、前記削孔を介して前記既設構造物の最下端に向けて水を送給して前記既設構造物に対して浮力を与える第３工程と、前記既設構造物に対して浮力を与えた状態のまま前記既設構造物を吊り上げる第４工程とを備え、地中の埋設された既設構造物を引き抜く引抜工法において、
前記削孔を介して送給される水を前記ケーシングの内周面と前記既設構造物との間のギャップ側に導く複数の鋼片を、前記ギャップを通じて前記既設構造物の最下端の下方位置まで挿入させる第５工程を備えたことを特徴とする地中既設構造物の引抜工法。
【請求項２】
前記第５工程は、
略スコップ形状を有する２つの前記鋼片を、互いの上部両端の回動軸回りに回動自在に軸支し、前記ケーシングの内周面と前記既設構造物との間のギャップに挿入し、地上から導入したロッドを伸長して前記両鋼片を前記回動軸回りにそれぞれ相反する方向に回動することで前記既設構造物の最下端面を覆うものである
請求項１記載の地中既設構造物の引抜工法。
【請求項３】
前記第４工程前に地盤表面の上方位置で前記既設構造物に補助部材を取り付ける第６工程と、
前記第４工程とともに、前記既設構造物の引抜方向とほぼ平行な方向に前記補助部材を押し上げる第７工程と
をさらに備えた請求項１または２に記載の地中既設構造物の引抜工法。
【請求項４】
前記第４工程において、前記既設構造物の前記ケーシング内での落下を防止する落下防止機構を併用する請求項１ないし３のいずれかに記載の地中既設構造物の引抜工法。
【手続補正２】
【補正対象書類名】明細書
【補正対象項目名】０００５
【補正方法】変更
【補正の内容】
【０００５】
【課題を解決するための手段】この発明は、上記目的を達成するために、前記既設構造物の最下端に繋がる削孔を前記既設構造物に形成する第１工程と、ギャップを隔てて前記既設構造物を囲むようにケーシングを地盤に回転推進して前記ケーシングの先端部を前記既設構造物の最下端以上の深さに到達させる第２工程と、前記削孔を介して前記既設構造物の最下端に向けて水を送給して前記既設構造物に対して浮力を与える第３工程と、前記既設構造物に対して浮力を与えた状態のまま前記既設構造物を吊り上げる第４工程とを備え、地中の埋設された既設構造物を引き抜く引抜工法において、前記削孔を介して送給される水を前記ケーシングの内周面と前記既設構造物との間のギャップ側に導く複数の鋼片を、前記ギャップを通じて前記既設構造物の最下端の下方位置まで挿入させる第５工程を備えている。このとき、前記第５工程は、略スコップ形状を有する２つの前記鋼片を、互いの上部両端の回動軸回りに回動自在に軸支し、前記ケーシングの内周面と前記既設構造物との間のギャップに挿入し、地上から導入したロッドを伸長して前記両鋼片を前記回動軸回りにそれぞれ相反する方向に回動することで前記既設構造物の最下端面を覆うようにするのが好ましい。
【手続補正３】
【補正対象書類名】明細書
【補正対象項目名】０００６
【補正方法】変更
【補正の内容】
【０００６】このように構成された発明では、既設構造物の最下端に繋がる削孔を既設構造物に形成した後、その削孔を介して既設構造物の最下端に向けて水を送給する。これによって、既設構造物の最下端から吐出される水の一部が既設構造物の外周側面に沿って地盤表面側に流れ、その水の存在により既設構造物に対して浮力が作用する。そして、この浮力が作用する状態で既設構造物を吊り上げて地盤から既設構造物を引き抜く。このように浮力を利用することで既設構造物の引抜に必要な吊上げ力を低減することが可能となる。また、複数の鋼片を既設構造物の最下端に位置させるため、既設構造物の最下端から吐出される水が地盤に浸み込むのを効果的に防止し、水の利用効率をさらに高めることができる。また、複数の鋼片を用いることなく、施工効率を高めるために給水時の水圧を高めた場合、既設構造物の最下端の下方に位置する地盤をさらに深く掘り下げてしまうが、上記のように複数の鋼片を設けることで圧送されてきた水による地盤の掘り下げを防止することができる。
【手続補正４】
【補正対象書類名】明細書
【補正対象項目名】０００８
【補正方法】変更
【補正の内容】
【０００８】さらに、地盤表面の上方位置で既設構造物に補助部材を取り付け、既設構造物の引抜の際（第４工程）に、既設構造物の引抜方向とほぼ平行な方向に補助部材を押し上げるように構成すれば、その押上力が既設構造物の引抜力となり、吊上げ力をさらに低減することができる。
【手続補正５】
【補正対象書類名】明細書
【補正対象項目名】０００９
【補正方法】変更
【補正の内容】
【０００９】また、第４工程において、既設構造物のケーシング内での落下を防止する落下防止機構を併用すると、既設構造物の大きさによっては一度に引き抜くのが困難な場合に、落下防止機構により既設構造物の落下を防止しつつ吊り上げることができるため、既設構造物の大きさに応じて既設構造物を複数回に分けて引き抜くことが可能となる。
【手続補正６】
【補正対象書類名】明細書
【補正対象項目名】００３４
【補正方法】変更
【補正の内容】
【００３４】
【発明の効果】以上のように、この発明によれば、既設構造物の最下端に繋がる削孔を既設構造物に形成した後、その削孔を介して既設構造物の最下端に向けて水を送給して既設構造物に対して浮力を作用させているので、従来工法よりも小さな吊上げ力で既設構造物の引抜が可能となる、つまり、より吊上げ能力の重機機械を用いて既設構造物の引抜が可能となり、施工効率を向上させるとともに、施工コストを抑制することができる。しかもこのとき、複数の鋼片を既設構造物の最下端に位置させるため、既設構造物の最下端から吐出される水が地盤に浸み込むのを効果的に防止し、水の利用効率をさらに高めることができる。
【手続補正書】
【提出日】平成15年7月25日(2003.7.25)
【手続補正１】
【補正対象書類名】明細書
【補正対象項目名】請求項１
【補正方法】変更
【補正の内容】
【請求項１】
　既設構造物の最下端に繋がる削孔を前記既設構造物に形成する第１工程と、ギャップを隔てて前記既設構造物を囲むようにケーシングを地盤に回転推進して前記ケーシングの先端部を前記既設構造物の最下端以上の深さに到達させる第２工程と、前記削孔を介して前記既設構造物の最下端に向けて水を送給して前記既設構造物に対して浮力を与える第３工程と、前記既設構造物に対して浮力を与えた状態のまま前記既設構造物を吊り上げる第４工程とを備え、地中の埋設された既設構造物を引き抜く引抜工法において、
前記削孔を介して送給される水を前記ケーシングの内周面と前記既設構造物との間のギャップ側に導く複数の鋼片を、前記ギャップを通じて前記既設構造物の最下端の下方位置まで挿入させる第５工程を備えたことを特徴とする地中既設構造物の引抜工法。